(57)【要約】【課題】個々の過電流保護装置またはヒューズ要素に関してより正確でより簡単な損傷の特定を可能にできる異常インジケータを提供する。【解決手段】少なくとも２つの熱動式の過電流保護装置の各々が、故障信号伝達要素５に作用するスタッド１０またはピン１の形態である駆動装置を有する。過電流保護装置は、スタッド１０またはピン１の方向ベクトルがその移動経路の仮想の延長と交差するように互いに対して配置される。スタッド１０またはピン１は、移動可能なアンカ４の各側面に作用する。アンカ４は、移動経路にて可変の位置を有し、スタッド１０またはピン１の移動経路の仮想の延長の交差の地点にも配置される。アンカ４は、移動の際に故障信号伝達要素５に作用するさらなる側面を有し、そのさらなる側面は、スタッド１０またはピン１の移動に起因する力の方向の変化を得るためのくさび斜面１６，１７を含む。【選択図】図１
2015511761.tif 000002
【特許請求の範囲】
【請求項１】
異なる故障または過負荷の状態に応答する少なくとも２つの熱動式の過電流保護装置を備え、前記少なくとも２つの熱動式の過電流保護装置の各々が、故障信号の伝達を生じさせるための機械的な駆動装置を有し、その機械的な駆動装置が、故障信号伝達要素に作用するスタッドまたはピンの形態である電子装置、とくにはサージアレスタのための異常インジケータであって、
前記少なくとも２つの過電流保護装置が、前記スタッドまたはピンの方向ベクトルがその移動経路の仮想の延長と交差するように互いに対して配置され、前記それぞれのスタッドまたはピンが、移動可能なアンカのそれぞれの側面に作用し、前記アンカは、移動経路において可変の位置を有するが、前記スタッドまたはピンの移動経路の仮想の延長の交差の地点にも配置され、さらに前記アンカが、アンカの移動の場合に前記故障信号伝達要素に順に作用するさらなる側面を有し、このために、このさらなる側面が、前記スタッドまたはピンのうちの１つのスタッドまたはピンの移動に起因する力の方向の変化を得るための少なくとも１つのくさび斜面を含むことを特徴とする異常インジケータ。
【請求項２】
前記アンカの移動が、横移動または枢動運動であることを特徴とする請求項１に記載の異常インジケータ。
【請求項３】
前記過電流保護装置が、それぞれに隣接する機械的な駆動装置が互いに対して実質的に垂直に向くように配置されていることを特徴とする請求項１または２に記載の異常インジケータ。
【請求項４】
前記アンカの横移動を、スイッチ装置または同様の手段を作動させるための枢動運動へと変換するために、前記アンカ上にレバーアームが形成されていることを特徴とする請求項１〜３のいずれか１項に記載の異常インジケータ。
【請求項５】
前記アンカが、該アンカの前記さらなる側面に、前記故障信号伝達要素と相互作用する２つの対向するくさび斜面を備えており、前記故障信号伝達要素が、その故障信号伝達要素の移動の方向に案内される態様で取り付けられ、２つの相補的なくさび斜面を有することを特徴とする請求項１〜４のいずれか１項に記載の異常インジケータ。
【請求項６】
前記アンカが、振り子式の物体として構成され、該振り子式の物体の往復運動にて可動且つその往復運動に対して垂直に可動であることを特徴とする請求項１〜４のいずれか１項に記載の異常インジケータ。
【請求項７】
前記それぞれの過電流装置または前記電子装置の状態に関する正確な損傷の特定が可能であるように、前記アンカが、非作用の側面にマーキングを備え、そのマーキングを、前記過電流保護装置のうちの１つの過電流保護装置の作動時に実行される前記アンカの移動に応じて、前記電子装置の窓にて視認できることを特徴とする請求項１〜６のいずれか１項に記載の異常インジケータ。
【請求項８】
前記アンカが、前記故障信号伝達要素の前記相補的なくさび斜面によって所定の位置に保持され、このために前記故障信号伝達要素が機械的に付勢されていることを特徴とする請求項５または７に記載の異常インジケータ。
【請求項９】
多極の過電圧保護装置に使用されることを特徴とする請求項１〜８のいずれか１項に記載の異常インジケータ。
【発明の詳細な説明】
【技術分野】
【０００１】
本発明は、異なる故障または過負荷の状態に応答する少なくとも２つの熱動式の過電流保護装置を備える電子装置、とくにはサージアレスタのための異常インジケータであって、前記少なくとも２つの熱動式の過電流保護装置の各々が、故障信号の伝達を生じさせるための機械的な駆動装置を有し、この機械的な駆動装置が、故障信号伝達要素に作用するスタッドまたはピンの形態である請求項１に記載の異常インジケータに関する。
【背景技術】
【０００２】
文献DE 10 2006 000 919.3は、１つまたは幾つかのサージ保護素子を備える差し込み式のサージアレスタを開示している。サージ保護素子は、視覚による故障インジケータを備える構造ユニット内に配置されている。さらに、故障を知らせるためにリモート信号接点を作動させるための機械的な駆動装置を備える熱動式の過電流保護装置が設けられている。
【０００３】
この引用の先行技術の装置によれば、リモート信号接点として好ましく使用されるマイクロスイッチの誤った作動を回避するための一定の公差の連なりに基づく革新的な構造を生み出すことによって、故障を知らせるためのリモート信号接点の確実な作動が達成される。この文献で導入された構造は、不都合な揺動を回避し、アレスタの差し込み方向に対して垂直なスライド移動を専ら実行するためのものである。この目的のため、アレスタの差し込み方向を横切る方向に可動で、ストッパとして作用する弾性舌を備える直線的に案内されたスライダが設けられる。前記弾性舌の自由端は、ロック要素により阻止される。熱動式の過電流保護装置は、作動時に前記舌の自由端に作用し且つその自由端を阻止位置から移動させる駆動ピンに合うよう作られている。スライダは、アレスタのハウジングの対応する開口を貫く自由なウェブ状の部位を有する。スライダは、駆動ピンが舌の自由端に作用するとすぐに解放され、長手方向の変位を実行できる。この文献に記載の好ましい実施形態によれば、熱動式の過電流保護装置が、円柱形を有し、ばねによって付勢された駆動ピンが一体化されている。上述の舌の自由端の枢動の方向および熱動式の過電流保護装置の駆動ストライカピンの移動の方向は１つの軸上に配置され、即ちその２つの方向は実質的に一致する。
【０００４】
スライダの一つの実施形態では、スライダのインジケータ面が、色によるマーキングを備えることができ、或いは着色されていてもよい。サージアレスタを覆うためのキャップは、視覚による異常インジケータの一部として、その上面側の観察窓を含む。
【０００５】
この引用文献DE 10 2006 000 919.3の教示によれば、視覚によるインジケータおよびリモート信号装置の各々を確実に作動できるストライカピンヒューズに基づく機械的な駆動装置が、簡単な方式で作製される。しかしながら、動作の挙動の監視を必要とする幾つかの要素がサージアレスタに設けられる場合には、舌および関連の駆動機構を含む幾つかのスライダが必要になり、結果として機械的および構造的に極めて複雑な技術的解決策となる。
【０００６】
少なくとも１つのアレスタ素子を有するサージアレスタが、DE 10 2009 022 069 A1からすでに知られている。加えて、はんだで固定された熱動式の切り離し点が、アレスタ素子へと接続されて設けられている。さらに、故障状態を表示するための損傷表示装置が設けられ、この損傷表示装置は、熱動式の切り離し装置（とくには、ヒューズ）の状態も照会し、アレスタ素子および切り離し装置の故障状態（故障であれば）を適切な視覚的手法にてＯＲ動作にて機械的に提示する。熱動式の切り離し装置は、表示ピンワイヤで固定されてそのワイヤの溶融または破壊後に解放される可動部品を備える。
【０００７】
この教示によって実現される目的は、生じうる全ての故障状態のための損傷インジケータを可能な限り少数の部品にて提供することにある。この目的のため、圧縮ばねまたは同様の力蓄積装置のための案内部が、アレスタのハウジングの表面または内部に設けられる。第１のばね端は、切り離しプランジャまたは切り離しシリンダによって直接的または間接的に熱動式の切り離し点に作用し、力蓄積装置の前記第１の端とは反対側の第２のばね端が、案内リングによって直接的または間接的にスライダに作用する。
【０００８】
スライダの第１の側には、変位方向の力が、さらなるばねによって直接的に作用し、あるいは損傷表示装置によって間接的に作用する。スライダの前記第１の側とは反対側の第２の側は、圧縮ばねからの力の作用下で可動部品の解放の運動に従うように、熱動式の切り離し装置の可動部品と作動可能に接続されている。
【０００９】
スライダの前記第１の側とは反対側の第２の側は、圧縮ばねからの力の作用下で可動部品の解放の運動に従うように、熱動式の切り離し装置の可動部品と作動可能に接続されている。
【００１０】
この従前のスライドの第２の側は、熱動式の切り離し点が作動され、熱動式の切り離し装置の部品が固定され、さらにスライダと案内部との間で位置が不変である状態で、さらなるばねの力の結果として長手方向にスライド移動でき、そのうえ後の長手方向のスライド移動において、インジケータワイヤが解放された状態で、熱動式の切り離し装置の可動部品と一緒に、案内部に対して往復運動できるように設計されている。スライダおよび損傷表示装置をアレスタの適切な状態に固定するために、ばねの第２の端または案内リングの少なくとも一部分が、スライダの切り欠きまたは窪みに係合する。一つの実施形態によれば、案内部は、圧縮ばねならびに切り離しプランジャまたは切り離しシリンダの少なくとも一部分を受け入れるための内側円柱形領域を含む。案内部は、ハウジングの一体的な一部分であってよい。損傷表示装置は、枢動可能であってよく、ハウジングに組み合わせられたベアリングジャーナルにおいて案内される。損傷インジケータは、信号色が設けられた表面部分をさらに備える。ハウジングキャップの窓部の内側での損傷表示装置の移動によって、色の変化を視覚的に検出することができ、例えば緑色から赤色など、生じうる故障状態を判断することができる。さらに、損傷表示装置には、枢動可能な端部のうちの一方に、リモート信号インジケータを作動させるように機能する延長部またはレバーアームを設けることができる。
【００１１】
熱動式の切り離し装置は、２つの反対側のキャップを有する円柱形のヒューズとして設計され、インジケータによって固定された可動部品が一方のキャップに配置される。
【００１２】
上述の先行技術によれば、一方の熱動式の切り離し点および切り離し装置の可動部品と、他方の損傷表示装置の運動のための力蓄積装置の機能の機能的分離が提供される。これは、異なる機械的要素の結合を必要とする両方のユニットの別々の監視を可能にするが、全体として、極めて複雑な構造を必要とする。
【００１３】
DE 10 2006 034 404 A1による好ましくはストライカピンとして構成された追加の機械的な作動装置を備える過電圧保護設備に使用するための過電流保護装置は、機械的な作動装置に加えて第１の溶融可能要素を含んだ第１の機能ユニットを備える。第２の機能ユニットが、過負荷保護として構成され、第２の溶融可能要素を有する。各々の機能ユニットはハウジングに配置され、それぞれのハウジングにおいて、側端キャップが両側に位置して、溶融可能な導体または溶融可能要素が、ハウジングの内部にそれぞれ位置し且つ端部キャップに電気的に接触する。第１および第２の機能ユニットは電気的に並列に接続され、この並列接続が実際の過電圧保護装置と直列に接続される。機能ユニットは、共通の機械的グループを形成する。ばねで付勢されたストライカピンを収容するための部屋が第１の機能ユニットの端部キャップに配置され、ストライカピンは第１の溶融可能要素によって非作動位置に保持される。第１の溶融可能要素は、高い引張強度と、第２の溶融可能要素の材料と比べて明らかに小さいＩ２ｔ値とを有するワイヤで形成される。
【００１４】
この公知の過電流保護装置は、経年劣化の少ない大きいパルス電流の通電容量、機械的な表示機能、或いは、そのような表示および信号伝達の機能のサポート、ならびに大きな開閉能力を有する。ストライカピンは、視覚によるインジケータおよび／または電気式のインジケータを機械的に作動させるように機能しうる。
【先行技術文献】
【特許文献】
【００１５】
【特許文献１】独国特許出願公開第１０２００６０００９１９号明細書
【特許文献２】独国特許出願公開第１０２００９０２２０６９号明細書
【特許文献３】独国特許出願公開第１０２００６０３４４０４号明細書
【発明の概要】
【発明が解決しようとする課題】
【００１６】
以上に基づき、本発明の目的は、異なる故障または過負荷の状態に応答する少なくとも２つの熱動式の過電流保護装置を備える電子装置、とくにはサージアレスタのための異常インジケータであって、異なる作動基準、好ましくは表示ピンを備えるヒューズ要素を、例えばリモート信号装置などの単一の表示要素においてＯＲ動作として表示できるとともに、個々の過電流保護装置またはヒューズ要素に関してより正確で且つより簡単な損傷の特定を可能にできる、さらに発展した異常インジケータを提供することにある。
【課題を解決するための手段】
【００１７】
本発明の目的に対する解決策は、請求項１の教示による特徴の組み合わせにより達成される。従属請求項は、少なくとも有用な実施形態とさらなる発展を定めている。
【００１８】
したがって、異なる故障または過負荷の状態に応答する少なくとも２つの熱動式の過電流保護装置を備える電子装置、とくにはサージアレスタのための異常インジケータが提案される。熱動式の過電流保護装置は、好ましくは内部の表示ピン機能を有するヒューズ要素として構成される。過電流保護装置の各々は、故障信号の伝達を生じさせるための機械的な駆動装置を有し、この機械的な駆動装置は、故障信号伝達要素に作用するスタッドまたはピンの形態である。この故障信号伝達要素は、色分けされたスライダであってよく、あるいは他の視覚によるインジケータ要素であってよい。また、電気スイッチ装置または光カプラにおいて動作できる手段であってもよい。
【００１９】
本発明によれば、前記スタッドまたはピンの方向ベクトルが、そのスタッドまたはピンの移動経路の仮想の延長と交差するように、前記少なくとも２つの過電流保護装置（基本的に、任意の数の過電流保護装置が可能である）が互いに対して配置される。
【００２０】
前記それぞれのスタッドまたはピンは、移動可能なアンカのそれぞれの側面に作用し、前記アンカは、移動経路において可変の位置を有する。前記アンカは、前記それぞれのスタッドまたはピンの機械的な移動の力を受け取って伝達でき、妥当であれば移動の方向の反転を許容する、構造的に形成された平たい物体である。さらに、アンカそのものを、スタッドまたはピンの作用によるアンカの位置の変化に関するインジケータとして使用できる。
【００２１】
前記アンカは、アンカの移動の場合に前記故障信号伝達要素に順に作用するさらなる側面を備える。この目的のために、このさらなる側面は、作動した過電流保護装置の前記スタッドまたはピンのうちの１つの移動に起因する力の方向の変化を得るための少なくとも１つのくさび斜面を含む。
【００２２】
前記アンカの移動は、横移動すなわち直線的な移動、ならびに枢動運動すなわち回転運動の両方としてそれぞれ実行されてよい。
【００２３】
好ましくは、前記過電流保護装置が、前記機械的な駆動装置が互いに対して実質的に垂直に向くように配置される。
【００２４】
一つの実施形態では、横移動を、スイッチ装置の作動を可能にするための枢動運動へと変換するために、前記アンカ上にレバーアームを形成できる。
【００２５】
好ましい実施形態では、前記アンカが、そのアンカの前記さらなる側面に、先端を切り落とした円錐に似た凹所を定めるように、２つの対向するくさび斜面を備えることができる。この対向配置のくさび斜面は前記故障信号伝達要素と相互作用し、前記故障信号伝達要素は、その故障信号伝達要素の移動の方向に案内される態様で取り付けられ、２つの相補的なくさび斜面を有する。かかる実施形態において、アンカの横移動は、故障信号伝達要素に関する移動方向の変換をもたらし、その位置をアンカの横移動に対して垂直な方向に変化させる。
【００２６】
しかしながら、往復運動における移動およびその往復運動に対して垂直な移動の両方を行い、故障信号の伝達をそれぞれ生じさせる振り子式の物体として、アンカを構成することも可能である。
【００２７】
一つの実施形態においては、前記それぞれ問題のある過電流装置に関する正確な損傷の特定が可能となるように、前記アンカが、前記スタッドまたはピンあるいは前記故障信号伝達要素の作用に関して非作用である側面にマーキングを備え、これらのマーキングが、前記過電流保護装置のうちの１つの過電流保護装置の作動時に実行される前記アンカの移動に応じて、前記電子装置の窓にて視認可能または視認不可能になる。
【００２８】
前記アンカは、前記故障信号伝達要素の上述の相補的なくさび斜面によって所定の位置に保持され、このために前記故障信号伝達要素が機械的に付勢される。
【００２９】
さらに、本発明によれば、上述の異常インジケータが、とくには多極の過電圧保護装置において使用される。
【００３０】
本発明を、典型的な実施の形態によって、図面を参照しながら、以下でさらに詳しく説明する。
【図面の簡単な説明】
【００３１】
【図１】アンカと合計３つの熱動式の過電流保護装置とを備え、熱動式の過電流保護装置の各々が、故障信号の伝達を生じさせるための機械式の駆動装置を有し、アンカが、過電流保護装置のスタッドの対応する移動を故障信号伝達要素へと伝達する異常インジケータの概略図を示す。
【図２】例えば表示ピン１〜３として構成された過電流保護装置の作動時のアンカの移動の状況または移動の変化の詳細図を示す。
【図３】例えば表示ピン１〜３として構成された過電流保護装置の作動時のアンカの移動の状況または移動の変化の詳細図を示す。
【図４】例えば表示ピン１〜３として構成された過電流保護装置の作動時のアンカの移動の状況または移動の変化の詳細図を示す。
【図５】回転軸を定めるためにレバーアームが組み合わせられたアンカの設計の概略斜視図を示す。
【図６】アンカの直線的な移動方向を示した、図１と同様の斜視図を示す。
【図７】往復移動を実行するアンカについて、互いに実質的に垂直に向けられた過電流保護装置をそれらの機能の状態に関して監視し、生じうる故障を共通のインジケータ要素へと伝えるために、振り子式の行程に対して垂直なアンカの移動も追加で実現することができる発展的に実現された典型的な技術的解決策を示す。
【発明を実施するための形態】
【００３２】
この実施形態に反映される本発明の基本的な思想は、互いに対して配置され、例えば表示ピンを備えるヒューズ要素として構成され、ＯＲ動作によって共通のインジケータに対して作用する幾つかの（少なくとも２つの）過電流保護装置の組み合わせに基づくものである。
【００３３】
図面に示されたアンカの位置は、アンカに作用する力によって動かされ、とくには表示ピンのストライカピンの力によって動かされる。
【００３４】
アンカ本体の幾何学的な実現の故に、どの表示ピンがその位置に対して移動したのかは原則として問題とされない。
【００３５】
図１は、本発明による技術的解決策の概略平面図を示す。アンカ４は、直線的に移動可能な平たい物体である。全部で３つの表示ピン１〜３が、アンカ４の周囲に配置されている。スタッド１０として設計されたそれぞれの表示ピン１〜３のそれぞれの駆動装置が、移動可能なアンカ４のそれぞれの側面に作用する。即ち、表示ピン１がアンカ４の側面１１に作用し、表示ピン２が側面１２に作用し、表示ピン３が側面１３に作用する。
【００３６】
状態表示６を表わすマーキングが、大文字Ａ〜Ｄによって指定され、観察窓が中央の領域（Ａ）に設けられている。したがって、アンカ４の横移動（図２〜図４を参照）を、観察窓および認知可能な信号伝達の意匠によって観測できる。視認可能な文字（例えば、図２のＢ）が、表示ピン１の作動を知らせる。
【００３７】
図１〜６による実施形態において、アンカ４は、アンカ４に円錐台形状の凹所を協働してもたらす２つの対向するくさび面１４および１５を備えている。
【００３８】
例えばインジケータまたはスイッチとして形成された故障信号伝達要素５が、相補的なくさび斜面１６および１７を備えている。アンカの横移動（図２および図３を参照）も、故障信号伝達要素５の位置の変化をもたらす。
【００３９】
故障信号伝達要素５には力Ｆ１を予め加えておくことができ、力Ｆ２は、力Ｆ１よりも大きく、作動した機械的な駆動装置に由来する。
【００４０】
移動の方向に関して、故障信号伝達要素５は、力ベクトルＦ１およびＦ２に沿って移動できるように案内される。
【００４１】
図２に示されるように、表示ピン１が作動される場合は、スタッド１０の作動力が表面４ａを介してアンカ４へと伝えられ、アンカ４が寸法ｘ１だけ直線的に移動する。特定の角度（図１を参照）に配置された斜面（くさび面）１４は要素５（図１の表面１６）に力を伝え、その結果として要素５が寸法Ｙの直線移動を被る。
【００４２】
図３による表示ピン２が作動される場合は、表面４ｂを介して力がアンカ４に伝えられる。その結果、アンカ４は寸法ｘ２だけ移動する。次いで、要素５（表面１７、図１を参照）への移動および力の伝達がくさび斜面１５（図１を参照）を介して行われ、要素５が寸法Ｙだけ移動する。
【００４３】
図４によれば、表示ピン３が作動されている。対応する作動力が、表面４ｃを介してアンカ４に伝えられ、その結果、アンカ４が寸法ｘ３だけ移動する。（寸法ｘ３）に沿って動かされたアンカ４は、その移動力を要素５（表面１９、図１を参照）に伝え、要素５は距離Ｙだけ移動する。
【００４４】
図５および図６に示した描写によれば、アンカ４は直線的に（図６）取り付けてもよいし、回転可能な態様（図５）で取り付けてもよく、それによって、スイッチまたは表示装置２２のための回転運動を得るために、レバーアーム２０によってアンカ４の横移動を枢動運動、すなわち回転軸２１に対する運動へと変換できる。
【００４５】
また、故障信号伝達要素５を作動させるためにレバーアーム２０を図の平面から前方に傾けることも可能である。この目的のためにフィルムヒンジを使用してもよく、或いはレバーアームが可撓であってもよい。
【００４６】
振り子方式の行程の方向に対して垂直なアンカ４の撓みを伴う往復運動を実現する実施形態が、図７の例による技術的に発展的な実施にて示されている。
【００４７】
図６によれば、図示の矢印に沿ったアンカ４の直線的な横移動が想定されている。この場合は、アンカ４を同時に表示装置として構成でき、或いは上述した先行技術による表示要素と作用可能に接続することができる。
【００４８】
図例は、表示ピン要素の数、すなわち過電圧保護装置の数が、基本的に無制限であることを示す。表面４ａ〜４ｃ（図１によれば、それぞれ１１〜１３）を広げることによって、各々がアンカに同様に作用する多数の表示ピンを配置できる。
【００４９】
アンカは、例えばマイクロスイッチとして構成された電気リモート信号ユニットに作用するものでもよく、さらには観察窓と相互作用するものでもよく、動作中の（即ち、作動した）過電流保護装置を大文字Ａ〜Ｄにより表わして知らせることができる。
【００５０】
このようにして、作動した表示ピンまたは過電流保護装置を示すことが可能である。これは、多極の過電圧保護装置における個々の経路の状態表示を可能にする。この状態表示は、遠方への信号伝達の形態で視覚的に表わすことができ、それと同時に装置上に直接視覚的に表わすこともできる。
【００５１】
或いは、本発明による原理の使用は、過電圧保護装置の段階的な既存の損傷の表示も可能にする。先行技術と対照的に、２または３段階だけでなく、４段階の表示機構を実現することができる。
【００５２】
図７が、往復運動を実行できるアンカを使用する発展的に実現された典型的な解決策を示している。さらに、機能上の状態に関して互いに垂直に向けられた過電流保護装置を監視し、生じうる故障を共通の表示要素へと伝えるために、振り子方式の行程に対して垂直なアンカの移動を実行することが可能である。過電流保護装置は、図７に参照番号３および２１で指し示されている。図７に示される他の構成要素は、上述した実施形態による機能要素に対応する参照番号によって指し示されている。
【図１】
2015511761.tif 000003
【図２】
2015511761.tif 000004
【図３】
2015511761.tif 000005
【図４】
2015511761.tif 000006
【図５】
2015511761.tif 000007
【図６】
2015511761.tif 000008
【図７】
2015511761.tif 000009
【国際調査報告】
2015511761.tif 000010
2015511761.tif 000011
2015511761.tif 000012
2015511761.tif 000013